(57)【特許請求の範囲】
【請求項１】
エボリューションノードB(eNB)のS1インタフェース配置情報が更新を発生した後、更新した後のS1インタフェース配置情報を隣接の各移動性管理エンティティ(MME)へそれぞれに送信し、
各MMEからの返信がすべて成功応答であるかどうかを判断し、そうであれば、受信した更新した後のS1インタフェース配置情報でそれぞれのS1配置情報を更新することを各MMEに通知し、
そうでなければ、受信した更新した後のS1インタフェース配置情報を捨てることを各MMEに通知するステップが含まれることを特徴とする配置更新を実現する方法。
【請求項２】
前記各MMEからの返信がすべて成功応答であるかどうかを判断することは、
前記各MMEの返信はすべてENB  CONFIGURATION  UPDATE  ACKNOWELEGEメッセージであると、成功応答であると表明し、前記各MMEの返信においてENB  CONFIGURATION  UPDATE  FAILUREメッセージが存在されると、失敗応答であると表明することであることを特徴とする請求項１に記載の方法。
【請求項３】
前記受信した更新した後のS1インタフェース配置情報でそれぞれのS1配置情報を更新することを各MMEに通知することは、
前記eNBが成功シンボルを運ぶ確認メッセージを隣接の各MMEへ送信し、隣接の各MMEが該確認メッセージを受信した後、受信した新しいS1インタフェース配置情報をそれぞれに発効させることであることを特徴とする請求項１または２に記載の方法。
【請求項４】
前記受信した更新した後のS1インタフェース配置情報を捨てることは、
前記eNBが失敗シンボルを運ぶ確認メッセージを隣接の各MMEへ送信し、前記隣接の各MMEが該確認メッセージを受信した後、受信した新しいS1インタフェース配置情報を保存しない、前記eNBが自体のS1インタフェース配置情報をロールバックすることであることを特徴とする請求項１または２に記載の方法。
【請求項５】
eNB,及びeNBと隣接する各MMEをせめて含み、其の中、
eNBは、S1インタフェース配置情報が更新を発生した後で、更新した後のS1インタフェース配置情報を隣接の各MMEへそれぞれに送信し、各MMEからの返信を受信し、各MMEの返信がすべて成功応答である時に、受信した更新した後のS1インタフェース配置情報でそれぞれのS1インタフェース配置情報を更新することを各MMEに通知する、各MMEの返信が不完全な成功応答である時に、受信した更新した後のS1インタフェース配置情報を捨てることを各MMEに通知し、同時に、自体のS1インタフェース配置情報をロールバックすることに用いられる、
MMEは、eNBからの更新した後のS1インタフェース配置情報を受信し、成功または失敗応答をeNBへ返す、eNBからの受信した更新した後のS1インタフェース配置情報でそれぞれのS1配置情報を更新する通知を受信した後、受信した更新した後のS1インタフェース配置情報を発効させる、eNBからの受信した更新した後のS1インタフェース配置情報を捨てる通知を受信した後、受信した更新した後のS1インタフェース配置情報を捨てることに用いられることを特徴とする配置更新を実現するシステム。
【請求項６】
前記MMEは一つまたは一つ以上であることを特徴とする請求項５に記載のシステム。
【請求項７】
eNBは、S1インタフェース配置情報が更新を発生した後で、更新した後のS1インタフェース配置情報を隣接の各MMEへそれぞれに送信し、各MMEからの返信を受信し、各MMEの返信がすべて成功応答である時に、受信した更新した後のS1インタフェース配置情報でそれぞれのS1インタフェース配置情報を更新することを各MMEに通知するに用いられることを特徴とするエボリューションしているノードB  eNB。
【請求項８】
前記eNBは、各MMEの返信が不完全な成功応答である時に、受信した更新した後のS1インタフェース配置情報を捨てることを各MMEに通知し、同時に、自体のS1インタフェース配置情報をロールバックすることにさらに用いられることを特徴とする請求項７に記載のエボリューションしているノードB  eNB。
【請求項９】
MMEは、eNBからの更新した後のS1インタフェース配置情報を受信し、成功または失敗応答をeNBに返す、eNBからの受信した更新した後のS1インタフェース配置情報でそれぞれのS1配置情報を更新する通知を受信した後、受信した更新した後のS1インタフェース配置情報を発効させる、eNBからの受信した更新した後のS1インタフェース配置情報を捨てる通知を受信した後、受信した更新した後のS1インタフェース配置情報を捨てることに用いられることを特徴とする移動性管理エンティティ。
【請求項１０】
前記MMEは一つまたは一つ以上であることを特徴とする請求項9に記載の移動性管理エンティティ。
【発明の詳細な説明】
【技術分野】
【０００１】
本発明はロングタームエボリューション(LTE、Long  Term  Evolution)技術に関し、特にLTEシステムにおいてエボリューションノードB(eNB、eNodeB)のS1インタフェースの配置を更新する方法、システム及びeNBとMMEを指す。
【背景技術】
【０００２】
LTEシステムでは、eNBと各隣接移動性管理エンティティ(MME、Mobility  Management  Entity)がS1インタフェースをそれぞれに築いた後、eNBのS1インタフェース配置情報が変化を発生すると、eNBは、eNB配置更新 (ENB  CONFIGURATION  UPDATE)メッセージを、S1インタフェースが築いた各隣接MMEへそれぞれに送信する。
【０００３】
図１は従来eNBのS1インタフェースの配置を更新する方法のフローチャートであり、eNB1が二つの隣接MME(MME1とMME2)を備えることを例として、図１に示すように、以下のステップを含む。
【０００４】
ステップ100、eNB1がS1確立要求(S1  SETUP  REQUEST)メッセージをMME1へ送信する。
【０００５】
ステップ101、eNB1がS1  SETUP  REQUESTメッセージをMME2へ送信する。
【０００６】
ステップ102、MME1がS1確立応答(S1  SETUP  RESPONSE)メッセージをeNB1へ返信する。
【０００７】
ステップ103、MME2がS1  SETUP  REQUESTメッセージをeNB1へ返信する。
【０００８】
ここまで、eNB1と隣接MME1、MME2のS1インタフェースがそれぞれに成功的に築かれる。
【０００９】
ステップ104、eNB1のS1インタフェース配置情報が修正されたと仮設し、S1インタフェースの配置情報が変化を発生するため、eNB1はENB  CONFIGURATION  UPDATEメッセージを隣接のMME1へ送信する。
【００１０】
ステップ105、eNB1はENB  CONFIGURATION  UPDATEメッセージを隣接のMME2へ送信する。
【００１１】
ステップ106、MME1がENB  CONFIGURATION  UPDATEメッセージを受信した後、eNB配置更新失敗(ENB  CONFIGURATION  UPDATE  FAILURE)メッセージをeNB1へ送信すると仮設し、該メッセージにおいて待ち時間情報要素（TIME TO WAIT IE）が運ばれない。プロトコル36.413の説明により、こんな状況で、eNB1とMME1の間のENB  CONFIGURATION  UPDATE過程が終わる。つまり、MME1が使用するはまた今度更新する前に対話したeNB1のS1インタフェースの配置情報である。
【００１２】
ステップ107、MME2がENB  CONFIGURATION  UPDATEメッセージを受信した後、eNB配置更新応答(ENB  CONFIGURATION  UPDATE  ACKNOWLEDGE)メッセージをeNB1へ送信すると仮設し、この時、MME2がeNB1のS1インタフェース更新した後の新しい配置情報で前回成功的に対話したeNB1のS1インタフェースの相関配置情報を覆う。
【００１３】
図１に示す従来のeNBのS1インタフェースの配置を更新する方法から見ると、eNB1の隣接の異なるMMEにおいて、MME1が使用するのは今度配置更新の前のeNB1のS1インタフェース配置情報であり、MME2が使用するのは今度更新した後のeNB1のS1インタフェース配置情報であることが存在される。このように、同じeNBに対して、異なるS1インタフェース配置情報が隣接のMMEに存在し、即ち同じeNBのS1インタフェース配置情報が隣接の各MMEにおいて不一致の問題を引き起こし、後続S1インタフェースの他のフローの正確実行を影響した。
【発明の概要】
【発明が解決しようとする課題】
【００１４】
これに鑑みて、本発明は、各隣接MMEにおいてeNBのS1インタフェース配置情報の一致性が確保でき、従って後続S1インタフェースの正確性に基本の保証を提供する配置更新を実現する方法、システム、およびeNBとMMEを提供することを目的とする。
【課題を解決するための手段】
【００１５】
上記の目的を達成するために、本発明の技術方案がこのように実現され、
配置更新を実現する方法、以下のステップを含み、
エボリューションノードB  eNBのS1インタフェース配置情報が更新を発生した後、更新した後のS1インタフェース配置情報を隣接の各移動性管理エンティティMMEへそれぞれに送信し、
各MMEからの返信がすべて成功応答であるかどうかを判断し、そうであれば、受信した更新した後のS1インタフェース配置情報でそれぞれのS1配置情報を更新することを各MMEに通知し、
そうでなければ、受信した更新した後のS1インタフェース配置情報を捨てることを各MMEに通知する。
【００１６】
前記各MMEからの返信がすべて成功応答であるかどうかを判断することは、
前記各MMEの返信はすべてeNB 配置更新応答ENB  CONFIGURATION  UPDATE  ACKNOWELEGEメッセージであると、成功応答であると表明し、前記各MMEの返信においてeNB 配置更新失敗ENB  CONFIGURATION  UPDATE  FAILUREメッセージが存在されると、失敗応答であると表明することである。
【００１７】
前記受信した更新した後のS1インタフェース配置情報でそれぞれのS1配置情報を更新することを各MMEに通知することは、
前記eNBが成功シンボルを運ぶ確認メッセージを各隣接のMMEへ送信し、各隣接MMEが該確認メッセージを受信した後、受信した新しいS1インタフェース配置情報をそれぞれに発効させることである。
【００１８】
前記受信した更新した後のS1インタフェース配置情報を捨てることは、
前記eNBが失敗シンボルを運ぶ確認メッセージを各隣接のMMEへ送信し、前記各隣接MMEが該確認メッセージを受信した後、受信した新しいS1インタフェース配置情報を保存しない、前記eNBが自体のS1インタフェース配置情報をロールバックすることである。
【００１９】
配置更新を実現するシステム、eNB,及びeNBと隣接する各MMEをせめて含み、其の中、
eNBは、S1インタフェース配置情報が更新を発生した後で、更新した後のS1インタフェース配置情報を隣接の各MMEへそれぞれに送信し、各MMEからの返信を受信し、各MMEの返信がすべて成功応答である時に、受信した更新した後のS1インタフェース配置情報でそれぞれのS1インタフェース配置情報を更新することを各MMEに通知する、各MMEの返信が不完全な成功応答である時に、受信した更新した後のS1インタフェース配置情報を捨てることを各MMEに通知し、同時に、自体のS1インタフェース配置情報をロールバックすることに用いられる。
【００２０】
MMEは、eNBからの更新した後のS1インタフェース配置情報を受信し、成功または失敗応答をeNBに返す、eNBからの受信した更新した後のS1インタフェース配置情報でそれぞれのS1配置情報を更新する通知を受信した後、受信した更新した後のS1インタフェース配置情報を発効させる、eNBからの受信した更新した後のS1インタフェース配置情報を捨てる通知を受信した後、受信した更新した後のS1インタフェース配置情報を捨てることに用いられる。
【００２１】
前記MMEは一つまたは一つ以上である。
【００２２】
エボリューションしているノードB  eNB、
eNBは、S1インタフェース配置情報が更新を発生した後で、更新した後のS1インタフェース配置情報を隣接の各MMEへそれぞれに送信し、各MMEからの返信を受信し、各MMEの返信がすべて成功応答である時に、受信した更新した後のS1インタフェース配置情報でそれぞれのS1インタフェース配置情報を更新することを各MMEに通知するに用いられる。
【００２３】
前記eNBは、各MMEの返信が不完全な成功応答である時に、受信した更新した後のS1インタフェース配置情報を捨てることを各MMEに通知し、同時に、自体のS1インタフェース配置情報をロールバックすることにさらに用いられる。
【００２４】
移動性管理エンティティ、
MMEは、eNBからの更新した後のS1インタフェース配置情報を受信し、成功または失敗応答をeNBへ返す、eNBからの受信した更新した後のS1インタフェース配置情報でそれぞれのS1配置情報を更新する通知を受信した後、受信した更新した後のS1インタフェース配置情報を発効させる、eNBからの受信した更新した後のS1インタフェース配置情報を捨てる通知を受信した後、受信した更新した後のS1インタフェース配置情報を捨てることに用いられる。
【００２５】
前記MMEは一つまたは一つ以上である。
【００２６】
上記本発明が提供した技術方案から見ることができるように、eNBのS1インタフェース配置情報が更新を発生した後で、更新した後のS1インタフェース配置情報を隣接の各MMEへそれぞれに送信し、各MMEの返信がすべて成功応答である時に、eNBは受信した更新した後のS1インタフェース配置情報でそれぞれのS1インタフェース配置情報を更新することを各MMEに通知する、そうでなければ、受信した更新した後のS1インタフェース配置情報を捨てることを各MMEに通知する。本発明の方法では、S1インタフェース配置情報を成功的に更新できないMMEが一つ存在する限り、eNBはそれと隣接した全部のMMEがS1インタフェース配置情報を更新することを許可しない、何らかの（一つまたは一つ以上）隣接のMMEのためeNBの配置更新情報が更新を成功的に引き受けられないため引き起こす、各隣接MMEにおいて同じeNBのS1インタフェース配置情報の不一致の問題を解決し、各隣接MMEにおいてeNBのS1インタフェース配置情報の一致性を保証し、従って後続のS1インタフェースのフローの正確性に基本保証を提供する。
【図面の簡単な説明】
【００２７】
【図１】は従来eNBのS1インタフェース配置を更新する方法のフローチャートである。
【図２】は本発明のeNBのS1インタフェース配置を更新する方法のフローチャートである。
【図３】は本発明のeNBのS1インタフェース配置を更新するシステムの構成模式図である。
【図４】は本発明のeNBのS1インタフェース配置を更新する方法の第一実施例のフローチャートである。
【図５】は本発明のeNBのS1インタフェース配置を更新する方法の第二実施例のフローチャートである。
【図６】は本発明のeNBのS1インタフェース配置を更新する方法の第三実施例のフローチャートである。
【発明を実施するための形態】
【００２８】
図２は本発明eNBのS1インタフェース配置を更新する方法のフローチャートであり、図２に示すように、以下のステップを含む。
【００２９】
ステップ200、eNBのS1インタフェース配置情報が更新を発生した後、更新した後のS1インタフェース配置情報を隣接の各MMEへそれぞれに送信する。
【００３０】
本ステップで、eNBがENB  CONFIGURATION  UPDATEメッセージを隣接の各MMEへそれぞれに送信することによって、更新した後のS1インタフェース配置情報を各MMEへ送信する。しかし、この時、各MMEにおいて、受信したeNBの更新した後のS1インタフェース配置情報が発効しない。各隣接MMEはeNBが送信するのは発効するかどうか通知を待つ必要がある。
【００３１】
ステップ201、各MMEからの返信がすべて成功の応答であるかどうかを判断し、そうであれば、ステップ202に進み、そうでなければ、ステップ203に進む。
【００３２】
従来規定により、各MMEは処理状況に基づき、応答メッセージをeNBに返せ、各MMEの返信はすべてENB  CONFIGURATION  UPDATE  ACKNOWELEGEメッセージであると、成功応答であると表明し、各MMEの返信においてENB  CONFIGURATION  UPDATE  FAILUREメッセージ（このメッセージにおいてTIME    WAIT  IEが運ばれる）が存在されると、失敗応答であると表明する。
【００３３】
ステップ202、受信した更新した後のS1インタフェース配置情報でそれぞれのS1インタフェース配置情報を更新することを各MMEに通知する。本フローを終了させる。
【００３４】
本ステップで、eNBが確認メッセージを各隣接のMMEへそれぞれに送信し、例えばeNB配置更新成功(ENB  CONFIGURATION  UPDATE  COMPLETE)メッセージ（説明を必要とするのは、ここはただ例を挙げて説明するだけで、他の名称も採用できる）、該確認メッセージにおいて成功シンボルが運ばれた。各隣接MMEが該確認メッセージを受信した後、ENB  CONFIGURATION  UPDATEメッセージにおける新しいS1インタフェース配置情報をそれぞれに発効させ、即ち受信した更新した後のS1インタフェース配置情報でそれぞれのS1インタフェース配置情報を更新する。
【００３５】
ステップ203、受信した更新した後のS1インタフェース配置情報を捨てることを各MMEに通知する。
【００３６】
eNBと隣接した各MMEにおいて、一つまたは複数のMMEはENB  CONFIGURATION  UPDATE  FAILUREメッセージ（このメッセージにおいてTIME  TO  WAIT  IEが運ばれない）をeNBへ返し、それでは、本ステップで、eNBが失敗シンボルを運ぶENB  CONFIGURATION  UPDATE  COMPLETEメッセージを各隣接のMMEへそれぞれに送信する。各隣接MMEが該確認メッセージを受信した後、ENB  CONFIGURATION  UPDATEメッセージにおける新しいS1インタフェース配置情報を保存しない、前回のeNBと成功的に対話したeNBのS1インタフェース配置情報をまだ使用し、即ち各MMEが受信した更新した後のS1インタフェース配置情報を捨てる。その上、eNBが自体のS1インタフェース配置情報をロールバックし、即ちENB  CONFIGURATION  UPDATEを送信する過程の前のS1インタフェース配置情報を使用する。
【００３７】
図２に示す本発明方法により、S1インタフェース配置情報を成功的に更新できないMMEの一つが存在する限り、eNBはそれと隣接した全部のMMEがS1インタフェース配置情報を更新することを許可しない。何らかの（一つまたは一つ以上）隣接のMMEのため（因）eNBの配置更新情報が更新を成功的に引き受けられないため引き起こす、各隣接MMEにおいて同じeNBのS1インタフェース配置情報が不一致の問題を解決し、各隣接MMEにおいてeNBのS1インタフェース配置情報の一致性を保証し、従って後続のS1インタフェースのフローの正確性に基本保証を提供する。
【００３８】
図３は本発明のeNBのS1インタフェースの配置を更新するシステムの構成模式図であり、図３に示すように、eNB及びeNBと隣接した各MMEをせめて含み、図３のようなMME1、MME2……MMEn、其の中、
eNBは、S1インタフェース配置情報が更新を発生した後で、更新した後のS1インタフェース配置情報を隣接の各MMEへそれぞれに送信し、各MMEからの返信を受信し、各MMEの返信がすべて成功応答である時に、受信した更新した後のS1インタフェース配置情報でそれぞれのS1インタフェース配置情報を更新することを各MMEに通知する、各MMEの返信が不完全な成功応答である時に、受信した更新した後のS1インタフェース配置情報を捨てることを各MMEに通知し、同時に、自体のS1インタフェース配置情報をロールバックし、即ちENB  CONFIGURATION  UPDATEを送信する過程の前のS1インタフェース配置情報を使用することに用いられる。
【００３９】
MMEは、eNBからの更新した後のS1インタフェース配置情報を受信し、成功または失敗応答をeNBへ返す、eNBからの受信した更新した後のS1インタフェース配置情報でそれぞれのS1配置情報を更新する通知を受信した後、受信した更新した後のS1インタフェース配置情報を発効させる、eNBからの受信した更新した後のS1インタフェース配置情報を捨てる通知を受信した後、受信した更新した後のS1インタフェース配置情報を捨てることに用いられる。
【００４０】
本発明はeNBとMMEをさらに提供し、其の中、
eNBは、S1インタフェース配置情報が更新を発生した後で、更新した後のS1インタフェース配置情報を隣接の各MMEへそれぞれに送信し、各MMEからの返信を受信し、各MMEの返信がすべて成功応答である時に、受信した更新した後のS1インタフェース配置情報でそれぞれのS1インタフェース配置情報を更新することを各MMEに通知するに用いられる。
【００４１】
前記eNBは、各MMEの返信が不完全な成功応答である時に、受信した更新した後のS1インタフェース配置情報を捨てることを各MMEに通知し、同時に、自体のS1インタフェース配置情報をロールバックすることにさらに用いられる。
【００４２】
MMEは、eNBからの更新した後のS1インタフェース配置情報を受信し、成功または失敗応答をeNBへ返す、eNBからの受信した更新した後のS1インタフェース配置情報でそれぞれのS1配置情報を更新する通知を受信した後、受信した更新した後のS1インタフェース配置情報を発効させる、eNBからの受信した更新した後のS1インタフェース配置情報を捨てる通知を受信した後、受信した更新した後のS1インタフェース配置情報を捨てることに用いられる。
【００４３】
前記MMEは一つまたは一つ以上である。
【００４４】
以下いくつかの実施例を参照し、本発明の方法を詳しく説明する。
【００４５】
図４は本発明のeNBのS1インタフェースの配置を更新する第一実施例のフローチャートである。第一実施例では、eNB1が二つの隣接MME(MME1とMME2)を備えると仮設し、MME1がENB  CONFIGURATION  UPDATE  FAILUREメッセージ(このメッセージにおいてTIME  TO  WAIT  IEが運ばれない)を返信し、MME2がENB  CONFIGURATION  UPDATE  ACKNOWLEDGEメッセージを返信する情景を説明する。図４に示すように、以下のステップを含む。
【００４６】
ステップ400、eNB1がS1  SETUP  REQUESTメッセージをMME1へ送信する。
【００４７】
ステップ401、eNB1がS1  SETUP  REQUESTメッセージをMME2へ送信する。
【００４８】
ステップ402、MME1がS1  SETUP  RESPONSEメッセージをeNB1へ返信する。
【００４９】
ステップ403、MME2がS1  SETUP  RESPONSEメッセージをeNB1へ返信する。
【００５０】
ここまで、eNB1と隣接MME1、MME2のS1インタフェースが成功的に築かれる。
【００５１】
ステップ404、eNB1がENB  CONFIGURATION  UPDATEメッセージを隣接のMME1へ送信し、且つ隣接MME1の応答を待つ。
【００５２】
ステップ405、eNB1がENB  CONFIGURATION  UPDATEメッセージを隣接のMME2へ送信し、且つ隣接MME2の応答を待つ。
【００５３】
ステップ406、eNB1がMME1からのENB  CONFIGURATION  UPDATE  FAILUREメッセージ（メッセージにおいてTIME  TO  WAIT  IEが運ばれない)を受信する。
【００５４】
ステップ407、eNB1がMME2からのENB  CONFIGURATION  UPDATE  ACKNOWLEDGEメッセージを受信する。
【００５５】
ステップ408、eNB1が失敗なシンボルを運ぶENB  CONFIGURATION  UPDATE  COMPLETEメッセージをMME1へ送信し、MME1が前回の成功的に対話するS1インタフェース配置情報をまだ使用する。
【００５６】
ステップ409、eNB1が失敗なシンボルを運ぶENB  CONFIGURATION  UPDATE  COMPLETEメッセージをMME2へ送信し、MME2が前回の成功的に対話するS1インタフェース配置情報をまだ使用する。
【００５７】
同時に、eNB1が自体のS1インタフェース配置情報をロールバックし、ENB  CONFIGURATION  UPDATEを送信する過程の前のS1インタフェース配置情報を使用する。
【００５８】
図5は本発明のeNBのS1インタフェースの配置を更新する第二実施例のフローチャートである。第二実施例では、eNB1が二つの隣接MME(MME1とMME2)を備えると仮設し、MME1とMME2がENB  CONFIGURATION  UPDATE  ACKNOWLEDGEメッセージをすべて返信する情景。図５に示すように、以下のステップを含む。
【００５９】
ステップ500、eNB1がS1  SETUP  REQUESTメッセージをMME1へ送信する。
【００６０】
ステップ501、eNB1がS1  SETUP  REQUESTメッセージをMME2へ送信する。
【００６１】
ステップ502、MME1がS1  SETUP  RESPONSEメッセージをeNB1へ返信する。
【００６２】
ステップ503、MME2がS1  SETUP  RESPONSEメッセージをeNB1へ返信する。
【００６３】
ここまで、eNB1と隣接MME1、MME2のS1インタフェースが成功的に築かれる。
【００６４】
ステップ504、eNB1がENB  CONFIGURATION  UPDATEメッセージを隣接のMME1へ送信し、且つ隣接MME1の応答を待つ。
【００６５】
ステップ505、eNB1がENB  CONFIGURATION  UPDATEメッセージを隣接のMME2へ送信し、且つ隣接MME2の応答を待つ。
【００６６】
ステップ506、eNB1がMME1からのENB  CONFIGURATION  UPDATE  ACKNOWLEDGEメッセージを受信し、この時、MME1において新しいS1インタフェース配置が発効しない。
【００６７】
ステップ507、eNB1がMME2からのENB  CONFIGURATION  UPDATE  ACKNOWLEDGEメッセージを受信し、この時、MME2において新しいS1インタフェース配置が発効しない。
【００６８】
ステップ508、eNB1が成功シンボルを運ぶENB  CONFIGURATION  UPDATE  COMPLETEメッセージをMME1へ送信し、MME1が該メッセージを受信した後、MME1において新しいS1インタフェース配置が発効する。
【００６９】
ステップ509、eNB1が成功シンボルを運ぶENB  CONFIGURATION  UPDATE  COMPLETEメッセージをMME2へ送信し、MME2が該メッセージを受信した後、MME2において新しいS1インタフェース配置が発効する。
【００７０】
図6は本発明のeNBのS1インタフェースの配置を更新する第三実施例のフローチャートである。第三実施例では、eNB1が二つの隣接MME(MME1とMME2)を備えると仮設し、MME1とMME2がENB  CONFIGURATION  UPDATE  FAILUREメッセージ(このメッセージにおいてTIME  TO  WAIT  IEが運ばれない)をすべて返信する情景。図6に示すように、以下のステップを含む。
【００７１】
ステップ600、eNB1がS1  SETUP  REQUESTメッセージをMME1へ送信する。
【００７２】
ステップ601、eNB1がS1  SETUP  REQUESTメッセージをMME2へ送信する。
【００７３】
ステップ602、MME1がS1  SETUP  RESPONSEメッセージをeNB1へ返信する。
【００７４】
ステップ603、MME2がS1  SETUP  RESPONSEメッセージをeNB1へ返信する。
【００７５】
ここまで、eNB1と隣接MME1、MME2のS1インタフェースが成功的に築かれる。
【００７６】
ステップ604、eNB1がENB  CONFIGURATION  UPDATEメッセージを隣接のMME1へ送信し、且つ隣接MME1の応答を待つ。
【００７７】
ステップ605、eNB1がENB  CONFIGURATION  UPDATEメッセージを隣接のMME2へ送信し、且つ隣接MME2の応答を待つ。
【００７８】
ステップ606、eNB1がMME1からのENB  CONFIGURATION  UPDATE  FAILUREメッセージ（このメッセージにおいてTIME  TO  WAIT  IEが運ばれない)を受信する。この時、eNB1のS1インタフェース新しい配置がMME1において発効しない。
【００７９】
ステップ607、eNB1がMME2からのENB  CONFIGURATION  UPDATE  ACKNOWLEDGEメッセージ（このメッセージにおいてTIME  TO  WAIT  IEが運ばれない)を受信する。この時、eNB1のS1インタフェース新しい配置がMME2において発効しない。
【００８０】
ステップ608、eNB1が失敗なシンボルを運ぶENB  CONFIGURATION  UPDATE  COMPLETEメッセージをMME1へ送信し、MME1が前回の成功的に対話するS1インタフェース配置情報をまだ使用する。
【００８１】
ステップ609、eNB1が失敗なシンボルを運ぶENB  CONFIGURATION  UPDATE  COMPLETEメッセージをMME2へ送信し、MME2が前回の成功的に対話するS1インタフェース配置情報をまだ使用する。
【００８２】
同時に、eNB1が自体のS1インタフェース配置情報をロールバックし、ENB  CONFIGURATION  UPDATEを送信する過程の前のS1インタフェース配置情報を使用する。
【００８３】
以上はただ本発明のより良い実施例だけで、本発明の保護範囲を限ることに用いられない、本発明の精神と原則内で行われるいずれの修正、同等交換及び改進等が、本発明の保護範囲内に含まれるべきだ。
【図１】
0005449560.tif 000002
【図２】
0005449560.tif 000003
【図３】
0005449560.tif 000004
【図４】
0005449560.tif 000005
【図５】
0005449560.tif 000006
【図６】
0005449560.tif 000007